(57)【要約】【課題】  商品データを長時間に亘って表示しても、ノイズ等の妨害を受けることなく、携帯電話を所有して移動中のときでも通話領域内外に影響されることなく、安定した商品データの閲覧ができる通信ネット販売システムを提供する。【解決手段】  （１）入力部１２、表示部１４及び記憶媒体１６を備え、電波１８による通信を電話回線を介して行う携帯電話であって、(a)通信ネット８を介して通信販売サーバー６の商品データをダウンロードする手段と、(b)商品データを表示部１４に表示する手段と、(c)商品を選択して注文データとして記憶する手段と、(d)注文データを送信する手段とを有する携帯電話４と、（２）(a)商品データをダウンロードさせる手段と、(b)注文データを受信する手段と、(c)販売成約データを作成する手段とを有する通信販売サーバー６とからなる通信ネット販売システム２とする。【選択図】  図１
2007316711.tif 000002
【特許請求の範囲】
【請求項１】
（１）入力部、表示部及び記憶媒体を備え、電波による通信を電話回線を介して行う携帯電話であって、(a)必要により通信ネットを介して通信販売サーバーと接続して通信販売サーバーの商品データファイルを前記記憶媒体内にダウンロードして記憶媒体に記憶する手段と、(b)記憶した商品データを表示部に表示する手段と、(c)表示した商品のうちから選択された商品に関するデータを商品データに付加した注文データを記憶媒体に記憶する手段と、(d)記憶した注文データを通信販売サーバーに送信する手段とを有する携帯電話と、
（２）(a)商品データを、携帯電話からの要求に応じて携帯電話の記憶媒体にダウンロードさせる商品データファイルを備えると共に、(b)携帯電話から送信された注文データを受信して記憶媒体に記憶する手段と、(c)記憶した注文データに基づいて販売成約データを作成する手段とを有する通信販売サーバーと
からなる通信ネット販売システム。
【請求項２】
通信販売サーバーが、商品データファイルをダウンロードさせるホームページを通信ネット上に開設している請求項１に記載の通信ネット販売システム。
【請求項３】
入力部、表示部及び記憶媒体を備え、電波による通信を電話回線を介して行う携帯電話であって、(a)必要により通信ネットを介して通信販売サーバーと接続して通信販売サーバーの商品データファイルを前記記憶媒体内にダウンロードして記憶媒体に記憶する手段と、(b)記憶した商品データを表示部に表示する手段と、(c)表示した商品のうちから選択された商品に関するデータを商品データに付加した注文データを記憶媒体に記憶する手段と、(d)記憶した注文データを通信販売サーバーに送信する手段とを有する携帯電話。
【発明の詳細な説明】
【技術分野】
【０００１】
本発明は、携帯電話により注文を受けて販売を行う通信ネット販売システム及びこのシステムに用いる携帯電話に関する。
【背景技術】
【０００２】
従来より、インターネット等の通信ネットを介して注文者(ユーザー)のパーソナルコンピュータ(パソコン)等のユーザー端末から製品の注文を受けて販売を行う通信ネット販売システムがある(例えば、特許文献１参照)。
【０００３】
このシステムにおいて、ユーザーはユーザー端末を介して通信販売サーバーがネットワーク上に提供している通信販売ホームページにアクセスし、その商品データを画面に表示する。この画面上でユーザーは購入したい商品を選択し注文する。
【０００４】
特許文献１に開示された通信ネット販売システムのように、パソコンにより注文を受けて販売を行う通常の通信販売システムの場合、通信ネット販売のホームページに接続することにより商品カタログ等の商品データがパソコンの画面に表示される。このパソコンの画面に表示された商品データは、パソコンに格納されたものではなく、通信販売サーバーにある商品データをパソコンに一時的に取込み表示しているもので、接続終了と共に表示データは消滅する。更に、パソコンは、携帯電話ほど携帯に適したものではない。
【０００５】
ユーザー端末としてパソコンではなく、携帯電話を用い、これにより注文を受ける通信販売も行われている(例えば、特許文献２参照)。
【０００６】
携帯電話を用いる通信販売の場合、携帯電話の有する種々の制約から事前に入手した紙のカタログを参照し、掲載された商品コードや数量などを通話回線を介して通信販売サーバーに送信することにより、ユーザーは購入したい商品を選択し注文する。
【０００７】
紙のカタログは、掲載されている商品の多さから、通常大きく且つ重いものであり、携帯には適さない。
【０００８】
一方、携帯電話は、携帯に適している。しかし、携帯電話の場合、電話代が高額であり、長時間通信販売サーバに接続して商品の選択、発注等を行うことは不経済である。更に、電波状態が悪い場所では、通信販売サーバーに接続して商品データを参照できない場合がある。
【０００９】
なお、上記携帯電話を用いる場合も上記パソコンの場合と同様に画面に表示された商品データは、携帯電話に記憶されたものではなく、通信販売サーバーにある商品データを一時的に取込み表示しているものである。
【特許文献１】特開２００１−２９７２０６号公報  （段落番号［０００２］〜［０００４］、［００１３］〜［００１７］）
【特許文献２】特開２００４−８６６０１号公報  （特許請求の範囲、段落番号［００１３］〜［００１７］）
【発明の開示】
【発明が解決しようとする課題】
【００１０】
本発明者は、上記問題を解決するため更に検討を重ねるうちに、予め商品データを通信販売サーバーから携帯電話の記憶媒体内にダウンロードして保存しておき、その後都合の良いときに、この商品データを携帯電話の画面に表示し、注文商品を選択し、発注することにより、時間や場所が制限されずに販売行為ができることを知得し、本発明を完成するに到った。
【００１１】
従って、本発明の目的とするところは、上記問題を解決する通信ネット販売システム及びこのシステムに用いる携帯電話を提供することにある。
【課題を解決するための手段】
【００１２】
上記問題を解決する本発明は、以下に記載するものである。
【００１３】
〔１〕  （１）入力部、表示部及び記憶媒体を備え、電波による通信を電話回線を介して行う携帯電話であって、(a)必要により通信ネットを介して通信販売サーバーと接続して通信販売サーバーの商品データファイルを前記記憶媒体内にダウンロードして記憶媒体に記憶する手段と、(b)記憶した商品データを表示部に表示する手段と、(c)表示した商品のうちから選択された商品に関するデータを商品データに付加した注文データを記憶媒体に記憶する手段と、(d)記憶した注文データを通信販売サーバーに送信する手段とを有する携帯電話と、
（２）(a)商品データを、携帯電話からの要求に応じて携帯電話の記憶媒体にダウンロードさせる商品データファイルを備えると共に、(b)携帯電話から送信された注文データを受信して記憶媒体に記憶する手段と、(c)記憶した注文データに基づいて販売成約データを作成する手段とを有する通信販売サーバーと
からなる通信ネット販売システム。
【００１４】
〔２〕  通信販売サーバーが、商品データファイルをダウンロードさせるホームページを通信ネット上に開設している〔１〕に記載の通信ネット販売システム。
【００１５】
〔３〕  入力部、表示部及び記憶媒体を備え、電波による通信を電話回線を介して行う携帯電話であって、(a)必要により通信ネットを介して通信販売サーバーと接続して通信販売サーバーの商品データファイルを前記記憶媒体内にダウンロードして記憶媒体に記憶する手段と、(b)記憶した商品データを表示部に表示する手段と、(c)表示した商品のうちから選択された商品に関するデータを商品データに付加した注文データを記憶媒体に記憶する手段と、(d)記憶した注文データを通信販売サーバーに送信する手段とを有する携帯電話。
【発明の効果】
【００１６】
本発明の通信ネット販売システムは、携帯電話の記憶媒体に予めダウンロードした商品データを任意の時に携帯電話の表示部に表示しているので、商品データを長時間に亘って表示しても、ノイズ等の妨害を受けることなく、携帯電話を所有して移動中のときでも通話領域内外に影響されることなく、経済的に安定した商品データの閲覧ができる。また、携帯電話を通信ネット販売システムに使用しているので、パソコンを使用する場合のように時間や場所が制限されることはない。
【００１７】
更に、ダウンロードした商品データは電源が切れても消去されないので、携帯電話の電池切れ等の不測の事態があっても、商品データ及び注文データが記憶媒体中に残るので安全である。
【発明を実施するための最良の形態】
【００１８】
以下、図面を参照しながら本発明を詳細に説明する。
【００１９】
図１は、本発明における通信ネット販売システムの構成の一例を示す概略説明図である。図１中、２は通信ネット販売システムで、携帯電話４と通信販売サーバー６とからなり、携帯電話４と通信販売サーバー６とはＷＥＢ等の通信ネット８を介して接続されている。
【００２０】
携帯電話４は、アンテナ１０、入力部１２、表示部１４及び記憶媒体１６を備え、電波１８により電話回線を介して通信を行う。この携帯電話４は、(a)必要により通信ネット８を介して通信販売サーバー６と接続して通信販売サーバー６の商品データファイルを前記記憶媒体１６内にダウンロードして記憶媒体１６に記憶する手段と、(b)記憶した商品データを表示部１４に表示する手段と、(c)表示した商品のうちから選択された商品に関するデータを商品データに付加した注文データを記憶媒体１６に記憶する手段と、(d)記憶した注文データを通信販売サーバー６に送信する手段とを有する。
【００２１】
通信販売サーバー６は、(a)商品データを、携帯電話４からの要求に応じて携帯電話４の記憶媒体１６にダウンロードさせる商品データファイルを備えると共に、(b)携帯電話４から送信された注文データを受信して記憶媒体に記憶する手段と、(c)記憶した注文データに基づいて販売成約データを作成する手段とを有する。
【００２２】
上記通信ネット販売システム２において、通信販売サーバー６は、通信ネット８上に商品データを掲載したホームページを開設してなる。
【００２３】
このホームページに対して、ユーザーは携帯電話４の入力部１２を操作してアクセスする。
【００２４】
ホームページに掲載された商品データは、アクセスした時点で表示部１４に表示されなくても良いが、このホームページの商品データを確認するためには、商品データは表示部１４に表示されることが好ましい。
【００２５】
次いで、この商品データをユーザーは携帯電話４の記憶媒体１６にダウンロードする。記憶媒体１６としては、フラッシュメモリー、ＤＶＤ(デジタルバーサタイルディスク)、ＨＤ(ハードディスク)等を用いることができる。その記憶容量は大容量の商品データのダウンロードにも対応できるように１００ｋＢ以上が好ましい。
【００２６】
前記ホームページにおいて、通信販売サーバー６は、携帯電話４の記憶媒体１６内にダウンロードした商品データを操作するためのプログラムソフトを提供することが好ましい。
【００２７】
このプログラムは、商品データの表示、選択、注文データの作成、注文データを通信販売サーバー６へ送信する手段等を構成する。
【００２８】
上記商品データのダウンロードの際には、商品データファイルの全部をダウンロードしても良いが、商品データファイルの一部、例えば後述する必要な付帯頁だけを頁単位にダウンロードしても良い。
【００２９】
なお、本例の通信ネット販売システム２においては、通信ネット８上に開設されたホームページからダウンロードすることにより商品データファイルを携帯電話４の記憶媒体１６にダウンロードしているが、これに限られず、必要により通信ネットを介してＥメールの添付ファイルとして商品データファイルをダウンロードしても良い。
【００３０】
ダウンロードが終了すると通常それ以上通話状態にしておく必要がないので、携帯電話４の通話状態が切断される。
【００３１】
商品データファイルは、携帯電話４の記憶媒体１６にダウンロード、保存されているので、通信販売サーバー６と携帯電話４との通信が切断されても、この記憶媒体１６に保存された商品データは、携帯電話４の表示部１４に前記プログラムソフトを起動させて表示できる。
【００３２】
本例の通信ネット販売システム２においては、通信切断後、商品データを表示部１４に表示させる。図２は、本発明の通信ネット販売システムにおける携帯電話の表示部に表示させた商品データの一例を示す概略説明図である。
【００３３】
通信販売サーバーでは、ユーザーが求めていると予想される商品を個人向けに選りすぐって(本例では商品データ源泉ファイル２２中の商品画面２４ａ、２４ｂ、２４ｃ、２４ｄ、２４ｅ、２４ｆ、２４ｇ、２４ｈの商品８品から商品画面２４ａ、２４ｂ、２４ｃ、２４ｄの商品４品を選んでいる。)商品データメイン頁２６に貼り付け、得られた商品データを電子カタログとして提供している。
【００３４】
この電子カタログの商品データメイン頁２６には、商品画面２４ａ、２４ｂ、２４ｃ、２４ｄが貼り付けてある。この商品データメイン頁２６は、ユーザーが商品データ及びプログラムソフトをダウンロード後、ユーザーの携帯電話の表示部に表示される。この表示部において、商品画面２４ａ、２４ｂ、２４ｃ、２４ｄは、それぞれ画面の拡大・縮小、回転ができる。この表示画面は、表示部のサイズや解像度に合わせて自動で調整できる。また、上下キー等の商品移動キーのキー操作で順番に商品画面２４ａ、２４ｂ、２４ｃ、２４ｄの選択位置が切替わるようにパスが設定されている。
【００３５】
上記商品画面２４ａ、２４ｂ、２４ｃ、２４ｄには、それぞれ商品情報２８ａ、２８ｂ、２８ｃ、２８ｄが付けてある。この商品情報としては値段、商品ＩＤなどがある。値段については商品情報としての有用性から画面に表示させることが望ましい。商品ＩＤについては商品情報としての有用性は少ないが、商品照合の面から画面に表示させることが望ましい。
【００３６】
上記商品画面２４ａ、２４ｂ、２４ｃ、２４ｄには、商品データ付帯頁３０ａ、３０ｂ、３０ｃ、３０ｄが設けてあり、購入したい商品画面を左右キー等の頁移動キーのキー操作で選択することにより、その付帯頁に画面切替えができるようにしてある。各付帯頁３０ａ、３０ｂ、３０ｃ、３０ｄには、説明・仕様・分類などの商品情報３２ａ、３２ｂ、３２ｃ、３２ｄが個々の商品に付けてある。
【００３７】
以上のように構成された商品データメイン頁２６の商品画面２４ａ、２４ｂ、２４ｃ、２４ｄからユーザーは、購入したい商品画面をキー操作で選択(フォーカス)後、又は購入したい商品データ付帯頁に画面切替え後、中央キー等の決定キーのキー操作で購入したい商品の画面(本例では商品画面２４ａ)に注文用のタグ３４を貼り付けることができるようにしてある。この注文用のタグ３４貼付けにより注文データが作成、保存される。
【００３８】
注文用のタグ３４には、予めＵＲＬ(ユニフォームリソースローケイター)、電話番号、メールアドレス、ユーザーＩＤ、パスワード等のユーザーサイドの注文用情報が付けてある。また、商品画面２４ａには、予めＵＲＬ、電話番号、メールアドレス、商品ＩＤ等の注文先(本例では通信販売サーバー)サイドの注文用情報が付けてある。これらの注文用情報は、注文用のタグ３４を商品画面２４ａに貼り付ける時点で、注文データ中に自動入力される。
【００３９】
保存されたデータ中の注文リストは、右上側キー等に設定された注文リスト参照キーのキー操作で画面に表示し、確認することができる。
【００４０】
注文リスト確認後、左上側キー等に設定された注文先参照キーのキー操作で注文先確認用頁に画面を切替え、注文先を確認することができる。
【００４１】
次いで、ユーザーは通信ネットに再接続後、前述の通信販売サーバーのホームページにアクセスして又はＥメールの添付ファイルとして、注文データを通信販売サーバーに送信する。この注文データの送信操作は、左下側キー等に設定された注文データ送信キーのキー操作によりできる。
【００４２】
携帯電話から送信された注文データを受信した通信販売サーバーは、ユーザーＩＤ、パスワード等が適合している場合は、注文データの注文用情報に基づいて決済し、販売成約データを作成し、この販売成約データを携帯電話に送信する。適合していない場合は、その旨の情報を携帯電話に送信する。
【００４３】
通信販売サーバーから送信された販売成約データを携帯電話が受信すると、商品画面２４ａに貼り付いている注文用のタグ３４は、「注文中」等の注文した状態であることを示す画面の表示に変わる。通信販売サーバーから送信された適合していないの旨の情報を携帯電話が受信すると、商品画面２４ａに貼り付いている注文用のタグ３４は、適合していない旨の状態であることを示す画面の表示に変わる。なお、注文用のタグ３４は、いわばショッピングカートにある状態を示す画面表示であり、これらの画面表示は、注文データに保存されているので、注文保留か注文済かなどを事後いつでも確認することができる。
【００４４】
通信販売サーバーの販売成約データに基づいて、以後通常の商品流通経路に従って商品の発注、配送等の手配がされ、その後注文された商品がユーザーに配送される。
【図面の簡単な説明】
【００４５】
【図１】本発明における通信ネット販売システムの構成の一例を示す概略説明図である。
【図２】本発明の通信ネット販売システムにおける携帯電話の表示部に表示させた商品データの一例を示す概略説明図である。
【符号の説明】
【００４６】
２    通信ネット販売システム
４    携帯電話
６    通信販売サーバー
８    通信ネット
１０    アンテナ
１２    入力部
１４    表示部
１６    記憶媒体
１８    電波
２２    商品データ源泉ファイル
２４ａ、２４ｂ、２４ｃ、２４ｄ、２４ｅ、２４ｆ、２４ｇ、２４ｈ    商品画面
２６    商品データメイン頁
２８ａ、２８ｂ、２８ｃ、２８ｄ、３２ａ、３２ｂ、３２ｃ、３２ｄ    商品情報
３０ａ、３０ｂ、３０ｃ、３０ｄ    商品データ付帯頁
３４    注文用のタグ
【図１】
2007316711.tif 000003
【図２】
2007316711.tif 000004